(57)【要約】【課題】  木口面が表面に現れている人工化粧材を作製するための年輪模様付つき板およびそれを用いた天然木に極めて類似し、かつ、安価な人工化粧材を提供する。【解決手段】  木目模様を有する人工化粧材５を形成するつき板１が、樹木横断面の写真画像の印刷で形成された年輪模様２を有し、それを用いた人工化粧材５は、化粧材コアの表面に、上記年輪模様２を有している年輪模様付つき板１１が貼付されて年輪模様を形成し、上記化粧材コアの他の面には、上記年輪模様２とつながる木目模様または表皮模様が施される。【選択図】        図２
0003113446.tif 000002
【実用新案登録請求の範囲】
【請求項１】
木目模様を有する人工化粧材を形成するつき板が、樹木横断面の写真画像の印刷で形成された年輪模様を有していることを特徴とする年輪模様付つき板。
【請求項２】
上記写真画像が、上記年輪模様の色調を調整することが可能なデジタル画像で形成されている、
ことを特徴とする請求項１に記載の年輪模様付つき板。
【請求項３】
化粧材コアの表面に、請求項１または２に記載の年輪模様付つき板を貼付して年輪模様を形成し、上記化粧材コアの他の面に上記年輪模様とつながる木目模様または表皮模様を施した、
ことを特徴とする人工化粧材。
【請求項４】
上記化粧材コアが直方体からなり、該コアの対向する一対の面に上記年輪模様付つき板を貼付して木口面を形成し、残りのそれぞれ対向する二対の側面に、木材の板目模様付および／または柾目模様付つき板を貼付して側面木目面を形成した、
ことを特徴とする請求項３に記載の人工化粧材。  
【請求項５】
上記対向する二対の側面における一方の側面に、木材の板目模様付つき板を貼付し、他方の側面に木材の柾目模様付つき板を貼付して側面木目面を形成した、
ことを特徴とする請求項４に記載の人工化粧材。
【請求項６】
上記化粧材コアが対向する平行面を有し、上記年輪模様付つき板を該平行面の少なくとも一方の面に貼付して該面に木口面を形成し、該平行面以外の面に木材の表皮模様付つき板を貼付して側面木肌面を形成した、
ことを特徴とする請求項３に記載の人工化粧材。
【考案の詳細な説明】
【技術分野】
【０００１】
本考案は、天然木材を模した人工化粧材に貼付される木目模様付つき板およびそれを用いた人工化粧材に関し、更に詳しくは、年輪の木目模様付つき板およびそれを用いた人工化粧材に関する。
【背景技術】
【０００２】
従来から天然木材を模して作られる人工化粧材は公知であり、家具材および建築内装材として広く利用されている。
しかしながら、家具材および建築内装材としては、その用途がほとんど木材の側面を表面に出すものであるため、木目模様が板目および柾目に限られ、木口面を外部に露出するようなところでの使用はほとんど考慮されていない。
【０００３】
天然木は、板目および柾目のみならず年輪も美的感覚を有するものであり、それをデザインに取り入れていないのは、建材には木口面が外部に露出することは殆どないと云う一つの固定概念に縛られていた結果であると思われる。
また、年輪が現れる切り株様の椅子やテーブルなどの需要も多くなっているが、無垢の一木から作るものは高価になるのが通例で、多量に生産することが困難であるため、製造販売の面で困難性があった。
そこで、本考案者は、そのような固定概念を打破し、木材の持つあらゆる美的感覚を取り入れてデザインの多様化を図とともに、天然木に極めて類似した人工化粧材を安価に提供することについて鋭意考察した結果、本考案をなすに至ったものである。
【考案の開示】
【考案が解決しようとする課題】
【０００４】
本考案は上記問題を解決するためのものであり、その技術的課題は、木口面が表面に現れている人工化粧材を作製するための年輪模様付つき板、更にそれを用いた天然木に極めて類似し、かつ、安価な人工化粧材を提供することにある。
【課題を解決するための手段】
【０００５】
上記課題を解決するための本考案の年輪模様付つき板は、木目模様を有する人工化粧材を形成するつき板が、樹木横断面の写真画像の印刷で形成された年輪模様を有していることを特徴とするものである。
本考案の好ましい実施の形態においては、上記写真画像が、上記年輪模様の色調を調整することが可能なデジタル画像で形成される。
【０００６】
また、上記課題を解決するための本考案の人工化粧材は、化粧材コアの表面に、樹木横断面の写真画像の印刷で形成された年輪模様を有している年輪模様付つき板が貼付されて年輪模様を形成し、上記化粧材コアの他の面に上記年輪模様とつながる木目模様または表皮模様を施したことを特徴とするものである。
【０００７】
本考案の人工化粧材の好ましい実施の形態においては、上記化粧材コアが直方体からなり、該コアの対向する一対の面に上記年輪模様付つき板を貼付して木口面を形成し、残りのそれぞれ対向する二対の側面に、木材の板目模様付および／または柾目模様付つき板を貼付して側面木目面が形成される。更に好ましい実施形態においては、上記対向する二対の側面における一方の側面に、木材の板目模様付つき板を貼付し、他方の側面に木材の柾目模様付つき板を貼付して、側面木目面が形成される。
【０００８】
本考案の人工化粧材の他の好ましい実施の形態においては、上記化粧材コアが対向する平行面を有し、上記年輪模様付つき板を該平行面の少なくとも一方の面に貼付して該面に木口面を形成し、該平行面以外の面に木材の表皮模様付つき板を貼付して側面木肌面が形成される。
【０００９】
なお、本明細書において、つき板とは、木材をスライサーで切削した薄単板に限るものでなく、木目を写し取った薄手の木目媒体を広く意味している。
【考案の効果】
【００１０】
本考案の年輪模様付つき板によれば、木口面が表面に現れている人工化粧材を作製するための年輪模様付つき板、更にそれを用いた天然木に極めて類似し、かつ、安価な人工化粧材を得ることができる。
【考案を実施するための最良の形態】
【００１１】
本考案に係る年輪模様付つき板は、基本的には、天然樹木の横断面における年輪をデジタルカメラ、あるいは、フィルムカメラで撮影した写真画像を画像媒体に印刷したものである。
図１はその実施例を示すものであり、この年輪模様付つき板１は、デジタルカメラ等で撮影した年輪模様２のデジタル写真画像を合成樹脂フィルムからなる画像媒体３に印刷して形成されている。この年輪模様２の画像を印刷する画像媒体３は、合成樹脂フィルムに限らず、使用目的に応じて更に厚い合成樹脂シート、あるいは防水性の紙状フィルムまたはシート等を用いることができる。
【００１２】
天然木の横断面における年輪の写真撮影は、デジタルカメラで行うことにより、これを画像媒体３に印刷する際に、必要に応じて年輪模様２の明度、色調を変化させたり、全体的な着色等を行ったりすることができる。年輪模様は、他の木目模様とともに色調等に樹種による違いがあるが、例えば撮影した年輪も色調等を変化させることにより、他の樹種の木口面に近似したものとすることができる。しかし、その必要が無いときは、上記写真撮影はデジタルカメラに限らず、フィルムカメラでも良い。
【００１３】
図２〜４は、上記年輪模様付つき板１を用いた人工化粧材の実施例を示している。これらの実施例の人工化粧材５〜７は、その心材を構成する化粧材コアが、安価な木材や合板等の積層材、集成材、パーティクルボード等の木質系成形材、その他、発泡合成樹脂や無機質系成形材など、適宜素材で比重が比較的木材に近似する素材を用いることができる。そして、そのコアの表面における一対の平行面に上記年輪模様付つき板１を貼付して、年輪模様を有する木口面１１，１１とし、通常は、他の一対の平行面に上記年輪模様とつながる柾目模様付つき板８を貼付して、柾目模様を有する側面木目面１２，１２とし、更に他の一対の平行面には、上記年輪模様に応じてそれとつながると同時に側面木目面１２，１２とつながる柾目模様付つき板８または板目模様付つき板９を貼付して、板目模様を有する側面木目面１３，１３とすることにより形成している。
上記柾目模様付つき板８および板目模様付つき板９も、年輪模様付つき板１と同様に、天然木の縦断面である柾目面および板目面を写真撮影して、画像媒体に印刷したものである。
【００１４】
ここで、年輪模様とつながる柾目模様、板目模様とは、それらの木目面の切断方向が異なるが、それらの木目模様が不自然でないつながりを持ち、それらの木目面を有する人工化粧材が恰も一木から切り出されたように見せることを可能にする木目模様を意味している。しかしながら、各面の木目模様を一木から切り出されたように完全につながりがあるものとすることは極めて困難であるため、各面の木目模様の色調が完全に相違するとか、特に不自然な組み合わせになっていなければよい。
【００１５】
上記図２の人工化粧材５においては、一定厚さの平行面を形成する一対の表面に、年輪模様付つき板１を貼付して年輪模様を形成した木口面１１とし、他の二対の表面を、一般的な天然木材を模した柾目模様付つき板８を貼付して側面木目面１２、１３とし、また、上記図３および図４の人工化粧材６，７においては、年輪模様を形成した木口面１１以外の他の二対の表面に、柾目模様付つき板８または板目模様付つき板９を貼付して側面木目面１２，１３としている。なお、図３に示すように、年輪模様を形成した木口面１１以外の他の二対の面に、天然木材の四方柾材を模して柾目模様を形成した柾目模様付つき板８を貼付することもできる。
【００１６】
図５は、上記年輪模様付つき板１を用いた人工化粧材の更に他の実施例を示すものである。
この実施例の人工化粧材５Ａは、化粧材コアが厚肉の円盤状をなし、そのコアにおける上下一対の平行面における少なくとも上部面に、年輪模様付つき板１を貼付して年輪模様を有する木口面１１Ａとし、該平行面以外の面である外周面に木材の表皮模様付つき板１０を貼付して側面木肌面１４とすることにより形成されている。
上記平行面の下部面が人目に触れる場合には該面にも年輪模様付つき板１を貼付したものできることは勿論である。
このようにして形成された人工化粧材５Ａは、脚を付けてテーブルなどに加工するのに適している。
【００１７】
上記年輪模様付つき板１は、上述の人工化粧材５〜７，５Ａの木口面１１，１１Ａに用いることにより、天然木の木口面に極めて類似し、かつ、天然木に比較して著しく安価な人工化粧材を製造することができる。
また、上記人工化粧材５〜７，５Ａは、その化粧材コアに種々の材料を用いることができるので、例えば、天然木材を使用することが困難な箇所にも、年輪模様付つき板１、柾目模様付つき板８および板目模様付つき板９を貼付することにより、年輪模様、柾目模様および板目模様を有する人工化粧材を形成することができる。
【図面の簡単な説明】
【００１８】
【図１】本考案に係る年輪模様付つき板の実施例を示す斜視図である。
【図２】本考案に係る人口化粧材の実施例を示す斜視図である。
【図３】本考案に係る人工化粧材の他の実施例を示す斜視図である。
【図４】本考案に係る人工化粧材の更に他の実施例を示す斜視図である。
【図５】本考案に係る人工化粧材の更に他の実施例を示す斜視図である。
【符号の説明】
【００１９】
１      年輪模様付つき板
２      年輪模様
３      画像媒体
５〜７，５Ａ    人工化粧材
８      柾目模様付つき板
９      板目模様付つき板
１１，１１Ａ    木口面
１２，１３      側面木目面
１４    側面木肌面
【図１】
0003113446.tif 000003
【図２】
0003113446.tif 000004
【図３】
0003113446.tif 000005
【図４】
0003113446.tif 000006
【図５】
0003113446.tif 000007